(57)【特許請求の範囲】
【請求項１】
粉末茶(Tb)を貯留すると共に容器(８)に粉末茶(Tb)を定量供給する給茶機の粉末茶供給装置であって、上記粉末茶供給装置は、粉末茶(Tb)を貯留する貯留部(２９)と、該貯留部(２９)内の粉末茶(Tb)を一定計量しスライドさせることで容器(８)に粉末茶(Tb)を排出する計量部(３０)と、上記計量部(３０)のスライド板(３５)と一体稼動に設けられると共に計量部(３０)のスライド時に貯留部(２９)内の粉末茶(Tb)を攪拌する攪拌部(３１)と、同じく計量部(３０)のスライド板(３５)と一体稼動に設けられると共にスライド時に開閉して容器(８)からの湯気が計量部(３０)内に侵入するのを防止するシャッター(３７)とからなり、而も上記攪拌部(３１)は、貯留部(２９)内に延びる垂直部(３１a) と複数の水平部(３１ｂ)とからなる梯子状に形成されていることを特徴とする給茶機の粉末茶供給装置。
【発明の詳細な説明】
【０００１】
【発明の属する技術分野】
本発明は給茶機内に組み込まれる粉末材料、特に粉末茶を貯留すると共に該粉末茶を容器に定量供給する粉茶供給装置に関するものである。
【０００２】
【従来の技術】
従来、給茶機には図１１に示すような茶葉を一定量供給する供給装置１００が備えられている。該供給装置１００は茶葉Ｔを貯留する貯留部１０１と、該貯留部１０１の下部に設けられた茶葉定量補給部１０２とから構成されており、該茶葉定量補給部１０２は断面扇形の開口部１０３ａを設けた円筒１０３が回転することにより、茶葉定量補給部１０２を形成する壁面１０２ａと上記開口部１０３ａとの間で一定の空間Ａができ、貯留部１０１内の茶葉Ｔが上記空間Ａ内に入り、円筒１０３が回転することで上記空間Ａに定量の茶葉Ｔが貯留部１０１から取り出され、排出口１０２ｂから排出する供給装置１００はすでに提案されている。
【０００３】
また、図１２に示すように、お茶の粉末原料Ｇを収容する原料容器１０５と、その底部１０５ａの原料供給路１０６と、該供給路１０６内を通して粉末原料Ｇを送り出す送出コイル１０７と、上記原料供給路１０６に接続され、粉末原料Ｇと湯を攪拌するミキシングケース１０８とから構成されており、送出コイル１０７がモータを内蔵した駆動機構１０９により一定時間回転駆動すると、原料容器１０５内の粉末材料Ｇが押し出されてミキシングケース１０８内に一定量が落下し、該ミキシングケース１０８内で粉末材料Ｇが湯と攪拌され、容器（図示されていない）に排出される供給装置１０４はすでに提案されている。
【０００４】
【課題を解決するための手段】
本願発明は粉末茶をムダ無く定量供給するために提案された粉末茶供給装置であり、粉末茶(Tb)を貯留すると共に容器(８)に粉末茶(Tb)を定量供給する給茶機の粉末茶供給装置であって、上記粉末茶供給装置は、粉末茶(Tb)を貯留する貯留部(２９)と、該貯留部(２９)内の粉末茶(Tb)を一定計量しスライドさせることで容器(８)に粉末茶(Tb)を排出する計量部(３０)と、上記計量部(３０)のスライド板(３５)と一体稼動に設けられると共に計量部(３０)のスライド時に貯留部(２９)内の粉末茶(Tb)を攪拌する攪拌部(３１)と、同じく計量部(３０)のスライド板(３５)と一体稼動に設けられると共にスライド時に開閉して容器(８)からの湯気が計量部(３０)内に侵入するのを防止するシャッター(３７)とからなり、而も上記攪拌部(３１)は、貯留部(２９)内に延びる垂直部(３１a) と複数の水平部(３１ｂ)とからなる梯子状に形成されていることを特徴とする給茶機の粉末茶供給装置を提案するものである。
【０００５】
また、ミキシングケース等からの湯気により排出口付近の粉末材料が固まり、排出口内並びに貯留部内に固まってしまうと言う問題があった。
【０００６】
【問題を解決するための手段】
本願発明は粉末茶をムダ無く定量供給するために提案された粉茶供給装置であり、粉末茶（Ｔｂ）を貯留すると共に容器（８）に粉末茶（Ｔｂ）を定量供給する給茶機の粉末茶供給装置であって、上記粉末茶供給装置は、粉末茶（Ｔｂ）を貯留する貯留部（２９）と、該貯留部（２９）内の粉末茶（Ｔｂ）を一定量計量し、スライドさせることで容器（８）に粉末茶（Ｔｂ）を排出する計量部（３０）と、上記計量部（３０）に固着され、計量部（３０）のスライド時に貯留部（２９）内の粉末茶（Ｔｂ）を攪拌する攪拌部（３１）と、該計量部（３０）内に湯気が侵入するのを防止するシャッター（３７）を設けたことを特徴とする給茶機の粉末茶供給装置を提案するものである。
【０００７】
【発明の実施の形態】
以下、図１乃至図１１に基づき本願発明の実施の形態について説明する。
１は本願発明の粉末茶供給装置２を使用した給茶機であり、該給茶機１は操作パネルを備えた本体３内に湯を沸かす湯沸かし部４と、茶葉Ｔを粉砕して粉末茶Ｔｂにする粉砕部５と、該粉砕部５から排出される粉末茶Ｔｂを貯留し、一定量を容器８に供給する粉末茶供給装置２と、各部を制御する制御部６を備えた構成となっている。
【０００８】
上記本体３は上記の各部を備えると共に、お茶を入れる場合に操作するボタン（図示されていない）を備えた操作パネル７を上面に設けた前面扉３ａと、カップ等の容器８を乗せる受け部３ｂと、後述の第１ホッパー部１３への茶葉Ｔを入れるための貫通孔３ｃが設けられた蓋体３ｄからなっており、金属あるいは合成樹脂により形成されている。
【０００９】
上記湯沸かし部４は、水（湯）Ｗを貯めておくタンク９となっており、その底面側にはヒータ１０が設けられ、タンク９内に貯められた水を湯沸かしするようになっている。なお、上記湯沸かしされた湯は冷めないようにヒータ１０により保温されている。また、上記タンク９内に貯められた湯は、制御部６からの信号によりポンプ（図示されていない）が作動し、給湯管（図示されていない）を介してカップ等の容器８に注がれるようになっている。なお、上記タンク９内の湯が無くなると、水位センサー（図示されていない）によって湯切れを検知して後述の制御部６に信号を送る。制御部６によってヒータ１０への電力供給並びに給茶動作を停止すると共に操作パネル７に湯切れの表示を行なう。その後、タンク９に水が補給されると水位センサーにより水が補給されたことを検知し、制御部６に信号を送る。制御部６は信号を受け取ると操作パネル７の表示を消すと共にヒータ１０への電力供給を開始し、湯沸かしを行なうと共に給茶動作を行なえるようになっている。
【００１０】
５は本体３の前面側に設けられた粉砕部であり、粉砕される茶葉Ｔを貯留する第１ホッパー部１３と、該茶葉Ｔを予備粉砕して粒度を揃える第１粉砕部１４と、予備粉砕された茶葉（以下、粉茶Ｔａと言う）を貯める第２ホッパー部１５と、該粉茶Ｔａを粉末茶Ｔｂに粉砕する第２粉砕部１６と、第２粉砕部１６により粉砕され排出された粉末茶Ｔｂを掻き集め、貯留部２９に排出する掻き集め部材１７と、上記第１粉砕部１４と第２粉砕部１６を駆動させる駆動部１８とから構成されている。
【００１１】
１３は本体３に取脱自在に取り付けられ、上部を拡開した漏斗状に形成された第１ホッパー部であり、上記蓋体３ｄの貫通孔３ｃから入れられた茶葉Ｔを貯留し、該茶葉Ｔを第１粉砕部１３に供給している。
【００１２】
また、上記第１ホッパー部１３の上面開口部１３ａには透明あるいは半透明の蓋１９が取脱自在に被せられており、第１ホッパー部内１３に入れた茶葉Ｔが第１ホッパー部１３からこぼれないようになっていると共に第１ホッパー部１３内の茶葉Ｔの残量が目視できるようになっている。
【００１３】
１４は上記第１ホッパー部１３から供給される茶葉Ｔを予備粉砕（せん断）して一定の粒度に揃える第１粉砕部であり、第１ホッパー部１３の下部側に設けられた第２ホッパー部１５に連通する貫通孔１３ｂに嵌め込まれたダイス２０と、該ダイス２０に挿通したスクリュー２１から構成されている。
【００１４】
上記ダイス２０は耐摩耗性に優れたセラミックス（例えばアルミナ、普通磁器）或いは合成樹脂（例えばアセタール樹脂等）によりリング状に形成されたもので、その内面側には茶葉Ｔをせん断するカット部２０ａが設けられている。
【００１５】
２１は上記ダイス２０に挿通した耐摩耗性に優れたセラミックス（例えばアルミナ、普通磁器）或いは合成樹脂（例えばアセタール樹脂等）により形成されたスクリューで、上記駆動部１８の回転駆動軸１８ａに対しネジ着され、上記第２粉砕部１６の上臼２２を回転可能に、下臼２３を本体３に固定する。また、該上臼２２並びに回転駆動軸１８ａにネジ着されたスクリュー２１は駆動部１８により回転駆動する。さらに上記スクリュー２１には上臼２２を常に下臼２３方向へ押圧する押圧部２１ａが設けられ、第２粉砕部１６の粉砕面２２ａ、２３ａ間の粉砕圧力を適度に調節して、粉砕効率が高められるようにしている。
【００１６】
さらに、上記スクリュー２１の側面側には茶葉Ｔをせん断するためのカット部２１ｂが設けられ、上記駆動部１８により回転し、ダイス２０のカット部２０ａとスクリュー２１のカット部２１ｂによって第１ホッパー部１３内の茶葉Ｔをせん断し、第２ホッパー部１５へ排出するようになっている。
【００１７】
１５は上記第１粉砕部１４で予備粉砕された粉茶Ｔａを貯め、第２粉砕部１６に粉茶Ｔａを供給する第２ホッパー部で、後述の上臼２２の上面に設けられており、該部１５から上臼２２並びに下臼２３に形成された粉砕面２２ａ、２３ａ間に上記粉茶Ｔａを送り込む材料供給口１５ａが設けられている。また、第１ホッパー部１５に図示されていないセンサーを設け、茶葉Ｔの有無を検出している。該センサーにより茶葉Ｔが無くなったことを検出すると、後述の制御部６に信号を送り、粉砕部５の粉砕動作並びに給茶動作をできないようにすると共に操作パネル７に茶葉切れの表示を行ない、粉砕部５の空擂りを防止している。その後、第１ホッパー部１５に茶葉Ｔが供給されると、センサーにより茶葉Ｔを検出してセンサーから制御部６に信号が送られ操作パネル７の表示を消すと共に粉砕動作並びに給茶動作を行な得るようになっている。
【００１８】
１６は摺り鉢形状に形成されたアルミナ磁器、普通磁器、陶器等のセラミックス製の上臼２２並びに下臼２３からなる第２粉砕部で、上記上臼２２と下臼２３が互いに向き合っている面に平行溝２４からなる粉砕面２２ａ、２３ａを設け、上記粉茶Ｔａは摺り鉢状に形成された粉砕面２２ａ、２３ａ間を昇ったり落ちたりを繰り返し、徐々に粉砕面２２ａ、２３ａを昇って行く間に、粉茶Ｔａは粉砕面２２ａ、２３ａの平行溝２４によってせん断され、押し潰されて粉末茶Ｔｂとなり、掻き集め部材１７の受け部材２６に排出される。
【００１９】
また、上記上臼２２には、その上面側に設けられた第２ホッパー部１５を覆う蓋部材２５が被されており、該第２ホッパー部１５内に貯められた粉茶Ｔａが外部に飛散しないようにしている。なお、上記蓋部材２５には第１粉砕部１４から排出される粉茶Ｔａが通る貫通孔２５ａが設けられている。
【００２０】
１９は上記第２粉砕部１６から排出される粉末茶Ｔｂを受ける受け部材２６と、排出された粉末茶Ｔｂを掻き集める刷毛部材２７と、後述の粉末茶供給装置２へ排出する排出口２８とからなる掻き集め部材であり、上記受け部材２６は上記排出口２８が設けられ、該口２８が本体３の正面にくるように、下臼２３の上端側に嵌合されている。また、上記刷毛部材２７は上記蓋部材２５の端部２５ｂに複数枚取り付けられており、上臼２２が回転すると、該蓋部材２５及び刷毛部材２７が回転され、受け部材２６上の粉末茶Ｔｂが掻き集められ、排出口２８から粉末茶供給装置２に排出されるようになっている。なお、上記受け部材２６の上面側は蓋部材２５の端部が覆うようになっており、粉末茶Ｔｂが本体３内に飛び散らないようになっている。また、上記したように茶葉、粉茶、粉末茶が通るすべての経路は全て蓋等で覆われているため粉砕部分以外に茶葉、粉茶、粉末茶がこぼれないようになっており、本体３が汚れにくくなっており極力掃除の手間が省略できる。
【００２１】
１８は駆動部で、交流駆動用の小型モータ１８ｂと、同小型モータ１８ｂの高速回転を低速回転（例えば２０〜１００ｒｐｍ）に変速するための変速ギヤー１８ｃとが合体された状態で本体３に収納されている。１８ａは回転駆動軸で、上記変速ギヤー１８ｃの出力軸である。該回転駆動軸１８ａは上記上臼２２並びにスクリュー２１を回転駆動させ、第１粉砕部１８並びに第２粉砕部１６を駆動させる。なお、上記駆動部１８は後述の制御部６の信号により始動・停止が制御される。
【００２２】
２は本体３の前面側に設けられ、カップ等の容器８に粉末茶Ｔｂを定量供給する粉末茶供給装置であり、上記粉砕部５から排出された粉末茶Ｔｂを貯留する貯留部２９と、該貯留部２９に貯留された粉末茶Ｔｂを一定量（例えば０．５ｇ）計り、カップなどの容器８内に粉末茶Ｔｂを排出するようにした計量部３０と、上記貯留部２９内に貯留された粉末茶Ｔｂが橋渡し状（ブリッジ）となって、計量部３０内に落ちてこない粉末茶Ｔｂを崩すための貯留部２９内を攪拌する攪拌部３１と、計量部３０を駆動させて一定量の粉末茶Ｔｂをカップ等の容器８内に落とすための駆動部３２と、上記貯留部２９内の粉末茶Ｔｂの量を検出するセンサー３３とからなっている。
【００２３】
上記貯留部２９は、透明な合成樹脂から形成されたもので、その上面が開口され、上記粉砕部５の排出口２８が貯留部２９内に嵌まり、粉末茶Ｔｂを貯留部２９内に排出している。また、上記貯留部２９の開口部分に蓋３４を設け、貯留部２９に貯留された粉末茶Ｔｂが本体３内に飛散しないようになっている。該蓋３４には粉砕部５の排出口２８に嵌まる貫通孔３４ａが設けられ、該孔３４ａを介して粉末茶Ｔｂが貯留部２９に排出されるようになっている。
【００２４】
３０は上記貯留部２９の底面側に接続される計量部で、後述する駆動部３２により横方向に移動可能なスライド板３５と、該スライド板３５を覆うカバー３２とからなり、上記板３５には計量孔３５ａが設けられており、該孔３５ａに上記貯留部２９内の粉末茶Ｔｂが入る。上記スライド板３５が同板３５の引掛け部３５ｂに掛けられた駆動部３２により図１０中左方向に移動すると、貯留部２９の壁２９ａ並びに上記カバー３６により余分な粉末茶Ｔｂが擦り切られ、一定量が取り出される。さらに左方向に移動すると、カバー３６の下面側に設けられた粉末茶排出口３６ａを通して、カップ等の容器８に対し粉末茶Ｔｂが一定量排出される。
【００２５】
３７はスライド板３５の突出部３５ｃ先端に設けられたシャッターであり、コップ等の容器８から立ち上る湯気が排出口３６ａ並びに計量孔３５ａを通して貯留部２９に侵入しないようになっており、スライド板３５が移動することによりシャッター３７の開け閉めがなされる。なお、カバー３６の排出口３６ａの下端側にはスクレーパー３６ｂが設けられており、シャッター３６の上面側に貯まった粉末茶Ｔｂを掃き出すためのものである。
【００２６】
３１は貯留部２９に貯留された粉末茶Ｔｂを攪拌するための攪拌部であり、上記貯留部２９内に延びる垂直部３１ａと粉末茶Ｔｂを攪拌する複数の水平部３１ｂが設けられた梯子状に形成され、攪拌時に粉末茶Ｔｂによるていこうを少なくしている。該攪拌部３１はスライド板３５の上面に固着され、駆動部３２によりスライド板３５を水平方向に移動させるごとに貯留部２９内の粉末茶Ｔｂが攪拌部３１に当たり、橋渡し状（ブリッジ）の粉末茶が壊され、攪拌される。
【００２７】
３２は電磁ソレノイド等からなる駆動部であり、上記スライド板３５の引掛け部３５ｂに対し駆動部３２の先端３２ａが掛けられており、後述の制御部６からの信号により駆動部３２が動作し図１０中左方向に移動してスライド板３５をスライドさせる。一定時間（例えば０．７秒）後、駆動部３２は図１０中右方向に移動してスライド板３５をスライドさせ、元の位置に戻す。
【００２８】
３３は貯留部２９内に貯留された粉末茶Ｔｂの量を検出するセンサーで、例えば赤外線センサーが使用できる。該センサー３３は貯留部２９を挟むようにして両側面に設けられており、貯留部２９内に粉末茶Ｔｂが貯留されている場合は上記センサー３３の光が粉末茶Ｔｂによって遮られ、粉末茶Ｔｂが貯留されていることを検知し、また貯留部２９内に粉末茶Ｔｂが無いまたは少ない場合は上記センサー３３の光が貯留部２９を透過するため、粉末茶Ｔｂが無いまたは少ないことを検知して後述の制御部６に信号を出力する。
【００２９】
６は制御部であり、上記センサー３３からの信号並びに操作パネル７のボタン（図示されていない）を押すことにより、粉砕動作や給茶動作等をさせ、上記各部の制御を行なうものである。なお、上記給茶動作について図１１に給茶動作のフロー図を示す。
【００３０】
次に、上記本願発明の粉末茶供給装置２を使用した給茶機１の動作について説明する。
第１ホッパー部１３に設けた蓋１９を外し、同部１３内に茶葉Ｔを入れ、蓋１９を閉じる。また、この時に湯沸かし部４のタンク９に対し水を入れる。次に、給茶機１の電源（図示されていない）を入れると、粉茶供給装置２の貯留部２９に粉末茶Ｔｂが無いことをセンサー３３が検出し、制御部６に対し信号が出力される。制御部６は信号を受け取ると、粉砕部５に対し信号を出力して駆動部１８を動作させ、茶葉Ｔの粉砕が開始される。
【００３１】
第１ホッパー部１３内の茶葉Ｔは第１粉砕部１４に供給され、ダイス２０とスクリュー２１のカット部２０ａ、２１ｂにより、せん断されて粒度が一定に揃えられた粉茶Ｔａとなり第２ホッパー部１５に排出される。排出された粉茶Ｔａは材料供給口１５ａを通して上臼２２並びに下臼２３の粉砕面２２ａ、２３ａ間に供給され、粉茶Ｔａが粉砕面２２ａ、２３ａにて潰され、切断されながら摺り鉢状の粉砕面２２ａ、２３ａを昇ったり落ちたりし、細かく粉砕され粉末茶Ｔｂとなり、掻き集め部材１７の受け部材２６に排出される。掻き集め部材１７は排出された粉末茶Ｔｂを刷毛部材２７により掻き集められ、排出口２８を通して貯留部２９へ排出する。
【００３２】
上記貯留部２９に貯留された粉末茶Ｔｂがセンサー３３の取り付けられた位置を超えて貯留されると、該粉末茶Ｔｂによりセンサー３３の光が遮断され、制御部６に信号が送られる。制御部６はセンサー３３から信号により貯留が完了したことを検知し、粉砕部５の駆動部１８に対して信号を出力して粉砕動作を停止する。
【００３３】
一方、湯沸かし部４ではタンク９内に貯められた水をヒータ１０により湯沸かしし、一定温度を保つようにしている。
【００３４】
上記湯沸かし並びに粉砕動作が終了すると、お茶の給茶が開始できる。本体３に設けられたボタン（図示されていない）を押すことにより、制御部６はポンプ（図示されていない）に対し信号を出力し一定時間（例えば０．３秒）動作させ、タンク９内から給湯管（図示されていない）を介して湯がカップ８に少量注がれる。その時、カップから出る湯気を逃すため、一定時間（例えば０．５秒）を開けられる。その後、制御部６は粉末茶供給装置２の駆動部３２に対し信号を出力し、計量部３０のスライド板３５をスライドさせると、計量孔３５ａに入った粉末茶Ｔｂが貯留部２９の壁２９ａやカバー３６により擦り切られて一定量（例えば０．５ｇ）にすると共に、シャッター３７がスライド板３５と共に動いて開き、計量部３０の計量孔３５ａ内に貯められていた一定量の粉末茶Ｔｂがカバー３６の排出口３６ａを通って容器８に粉末茶Ｔｂが排出される。一定時間（例えば０．７秒）が経過すると、制御部６からの信号により駆動部３２が動作して、スライド板３５が元の位置に戻されている。
【００３５】
粉末茶Ｔｂがカップ８内に排出されると、再度湯気を逃すために一定時間（例えば０．５秒）を開け、制御部６からの信号によりポンプ（図示されていない）を一定時間（例えば２秒乃至５秒）動作させ、タンク９内の湯がカップ８に注がれ、カップ８内の粉末茶Ｔｂが注がれた湯により攪拌されて給茶が完了する。
【００３６】
なお、給茶し続け、貯留部２９に粉末茶Ｔｂが無いまたは少ない場合には、粉末茶Ｔｂの量をセンサー３３により検出して制御部６が粉砕部５を動作させる。粉砕部５では茶葉Ｔを第１粉砕部１４で上記の如く予備粉砕して粉末茶Ｔｂにし、第２粉砕部１６にて粉茶Ｔａを粉砕して粉末茶Ｔｂにし、貯留部２９へ排出、補充する。なお、貯留部２９に粉末茶Ｔｂが補充されるまでは本体３の操作パネル７に給茶ができないことが表示されると共に、給茶ができないようになっている。
【００３７】
また、タンク９内の湯量が無くなった場合も同様に、水位センサー（図示されていない）等により検出され、制御部６は操作パネル７に給茶ができないことが表示し、給茶動作をできなくすると共にヒータ１０への電力供給を停止する。その後、タンク９に水又は湯を補給すると水位センサーにより検知され、操作パネル７の表示を消すと共に湯沸かしが開始され、給茶動作も再開される。
【００３８】
さらに、第１ホッパー部１５内の茶葉Ｔが無くなった場合も同様に、センサー（図示されていない）等により検出され、制御部６は操作パネル７に給茶ができないことが表示し、給茶動作をできなくすると共に、粉砕動作をできなくする。その後、第１ホッパー部１５に茶葉Ｔが補給されるとセンサーにより検知され、操作パネル７の表示を消すと共に粉砕動作が開始され、給茶動作も再開される。
【００３９】
【発明の効果】
本願発明の粉末茶供給装置は、貯留部から粉末茶を容器に一定量排出できることはもちろんのこと、貯留部内での橋渡し状（ブリッジ）の粉末茶を攪拌部材により崩すことにより、粉末茶を計量部にスムーズに送ることができる。
【００４０】
また、カップ等の容器から立ち上る湯気が粉末茶排出口に侵入しないように同口にシャッターを設けたため、粉末茶排出口並びに計量孔を通して貯留部内の粉末茶が湯気により固まることが無くなり、粉末茶の無駄が無くなる。
さらに又粉末茶供給装置は、計量時における計量部のスライド板のスライドと言う単純な１つのアクションにより粉末茶の計量・排出に加え攪拌部による粉末茶の攪拌と、さらには計量部内への湿気侵入を防止するためのシャッターの開閉と言う３つのアクションが同時に行えるため、個々にアクション用の駆動部を備えたものに比べて構造の簡素化とコストダウンが図れることは勿論、さらに上記攪拌部を垂直部と複数の水平部からなる梯子状に形成することで、スライド板が水平方向に移動する場合に粉末茶の抵抗を少なくして同茶のブリッジを確実に壊しスムーズに攪拌が行なえる。
【図面の簡単な説明】
【図１】本願発明の粉末茶供給装置を使用した給茶機の略断面図。
【図２】前面扉並びに蓋体を開けた状態の給茶機の正面図。
【図３】粉砕部を拡大した略断面図。
【図４】ダイスを示す図で、（ａ）は平面図、（ｂ）は断面図を示す。
【図５】スクリューの正面図。
【図６】上臼の下面図。
【図７】下臼の上面図。
【図８】本願発明の粉末茶供給装置の正面図。
【図９】本願発明の粉末茶供給装置の左側面図。
【図１０】本願発明の粉末茶供給装置の断面図。
【図１１】給茶動作のフロー図。
【図１２】従来の供給装置を示す図。
【図１３】別の従来の供給装置を示す図。
【符号の説明】
１    給茶機
２    粉末茶供給装置
２９  貯留部
３０  計量部
３１  攪拌部
３３  センサー
３５  スライド板
３７  シャッター
３８  スクレーパー
Ｔ    茶葉
Ｔａ  粉茶
Ｔｂ  粉末茶
【図１】
0004154708.tif 000002
【図２】
0004154708.tif 000003
【図３】
0004154708.tif 000004
【図４】
0004154708.tif 000005
【図５】
0004154708.tif 000006
【図６】
0004154708.tif 000007
【図７】
0004154708.tif 000008
【図８】
0004154708.tif 000009
【図９】
0004154708.tif 000010
【図１０】
0004154708.tif 000011
【図１１】
0004154708.tif 000012
【図１２】
0004154708.tif 000013
【図１３】
0004154708.tif 000014